(57)【要約】      （修正有）【課題】傘収納ケース本体に傘を収納し、その傘収納ケースを鞄等の持ち手に繋留する事によって、使用後の濡れた傘を手持ちする場合に生ずる欠点を解決する。また、傘収納ケース本体の耐久性、使用上の利便性、更には実用性を高める事によって繰り返し使用を可能にし、これにより使い捨て傘袋を使用する場合に生ずる欠点を解決することができる傘収納ケースを提供する。【解決手段】使用後の濡れた雨傘を傘収納ケースの本体１に収納し、本傘収納ケースに取り付けられたフック５を利用して鞄の持ち手等に繋留する。また、傘収納ケース本体１を耐久性の高い構造と素材によって構成する事、更には本体底部に水抜き栓６を装着する事、開口部にスライド式ジッパー３を装着する事など利便性を向上させる。【選択図】図１
0003103112.tif 000002
【実用新案登録請求の範囲】
【請求項１】
傘収納ケース本体に容易に脱着可能なフックを取り付ける事によって、傘を使用しない時には本傘収納ケースに収納し、鞄の持ち手等にフックで繋留できる事を特徴とする携帯用脱着型傘収容ケース
【請求項２】
傘収納ケース本体底部に水抜き栓を設ける事によって、使用後の濡れた雨傘を収納した時に本体ケース内部に溜まった雨水を容易に抜き出す事ができるという特徴を有する傘収納ケース
【請求項３】
傘収納ケース本体上部の開口部分にスライド式ジッパーを装着する事により、開閉を容易にし、かつ簡易的な水漏れ防止機能を有する傘収納ケース
【考案の詳細な説明】
【技術分野】
【０００１】本考案はフック、水抜き栓及びスライド式ジッパーを装着した携帯用傘収納ケースに関するものである。
【背景技術】
【０００２】雨天時の電車内等混雑した場所でも使用後の雨傘を濡れた状態のまま所持している。【０００３】雨が止んだ後の雨傘の置き忘れなどによる紛失が非常に多発している。【０００４】雨天時に傘を使用している場合、建物等に入る時に使い捨て雨傘袋を使用している。
【考案の開示】
【考案が解決しようとする課題】
【０００５】雨天時の電車や建物内など混雑した場所で雨傘を濡れた状態のまま所持している事は周辺の施設や人々に迷惑を掛ける事があり、また傘を所持している事により手がふさがり行動が制限される為に危険性が高くなる。更に傘を手持ちしている事で置き忘れなど紛失する事がある。従って、本体に取り付けられたフックを利用する事によって前述の欠点を解決しようとするものである。【０００６】雨天時に建物等の入口で配布されている使い捨ての傘袋は経済的な負担もあり、また使用後の傘袋は廃棄物となる為、環境に与える負荷も大きい。更に、使い捨て傘袋は非常に薄い素材を使用しているため破損し易い事、傘袋装着機で折畳式傘に傘袋を装着する場合不便である。従って、丈夫で使い易く、繰り返し使用が可能な本傘収納ケースを使用する事により前述の欠点を解決しようとするものである。
【課題を解決するための手段】
【０００７】本考案は、使用後の濡れた雨傘を本体傘収納ケースに収納し、本ケースに取り付けられたフックを利用して鞄の持ち手などに繋留する事によって、使用後の濡れた傘を手持ちしする事による周辺の施設や人々に及ぼす影響の問題、行動が制限される事に伴う危険性の問題、傘の置き忘れによる紛失の問題等一挙に解決している。【０００８】本考案は、傘収納ケース内部に溜まった雨水を放出するための水抜き栓、開閉を容易に行うために装着された本体開口部のスライド式ジッパーによって使用上の利便性を向上させ、更に傘収納ケース本体を耐久性の高い構造と素材によって構成する事によって繰り返し使用を実現し、使い捨て傘袋を使用する場合の欠点である環境負荷の問題、使用中の傘袋破損問題、折畳式傘の傘袋装着の不便性の問題を解決している。
【考案の効果】
【０００９】本傘収納ケースは、小型軽量である事から鞄等に繋留しておいても邪魔になりにくく長時間傘を使用しない時は収納しておく事によって傘の紛失防止効果がある。
また、手が自由になる事で通勤時の電車内で読書なども容易になり時間の有効活用という効果も得られる。特に肩掛けタイプの鞄に取り付ける事で両手が自由になるため更に効果が向上する。【００１０】本体底部に装着された水抜き栓を利用する事によって使用後のケース内部に溜まった雨水を容易に抜き出すことができるという使用上の利便性が向上する事は勿論、内部を清潔に保つ事ができるという効果もある。更に、本体上部の開口部にスライド式ジッパーを装着する事によって開閉を容易にし、且つ使用中に一時的に横置き状態になっても雨水の流出を極力抑える効果も併せ持っている。
【考案を実施するための最良の形態】
【００１１】収納ケース本体の材質は使用中に繋留する鞄等と擦れ合う事があるため、極力鞄等に損傷を与えない素材を適用し、内部は防水効果のある素材或いは防水加工を施した素材を選択する。また、収納ケース本体に取り付けられたフックも鞄等の持ち手部分に繋留するため、形状はリング型又はナス型など内径が大きく鞄等に損傷を与えにくい材質と形状の物を採用する。更に脱着が容易で使用中に外れない機能を有する物を採用する。【００１２】収納ケース本体上部のスライド式ジッパーは横置き状態になった時、雨水の流出を極力抑えるためにジッパーの密着部分は２列又はそれ以上の物を適用し、頻繁に開閉する事が予想されるため、耐久性が高くスムースに動作する物を採用する。また、底部の水抜き栓は容易に開閉できる事と使用中に栓が開き雨水が流出しないように信頼性と耐久性を考慮した素材を使用する。
【実施例】
【００１３】以下、添付図面に従って一実施例を説明する。１は耐久性の化成品等の適宜素材にて形成された本体、２はフックと本体を接合するために設けられた部分で、この部分は雨水を含んだ傘の重量と通常使用による力の負担が集中する場所である事から高い耐久性を実現させる必要がある。３はスライド式ジッパーの密着部分で４を左右にスライドさせることによって密着／開放させる。５は、傘収納ケース本体と鞄等の持ち手とを繋留するためのフック部で強化プラスチック製或いは錆びが発生しない非鉄金属製の物で係脱が容易で外れにくい機能（カラビナなど）の物を使用する。
６は使用中或いは使用後に本体内部に溜まった雨水を放出するための水抜き栓で材質は密着性、耐久性の高い素材で形成されている。
【図面の簡単な説明】
【００１４】
【図１】  本考案のフック付き携帯用傘収納ケースの一実施例を示す正面図である。
【図２】  本傘収納ケースの使用例
【符号の説明】
【００１５】  １．傘収納ケース本体
２．本体とフック部の接合部分
３．スライド式ジッパーの密着部分
４．スライド式ジッパーのスライド部分
５．フック
６．水抜き栓
【図１】
0003103112.tif 000003
【図２】
0003103112.tif 000004
【手続補正書】
【提出日】平成16年2月5日(2004.2.5)
【手続補正１】
【補正対象書類名】実用新案登録請求の範囲
【補正対象項目名】全文
【補正方法】変更
【補正の内容】
【実用新案登録請求の範囲】
【請求項１】
傘収納ケース本体に容易に脱着可能なフックを取り付ける事によって、傘を使用しない時には本傘収納ケースに収納し、鞄の持ち手等にフックで繋留できる事を特徴とする携帯用脱着型傘収納ケース
【請求項２】
傘収納ケース本体底部に水抜き栓を設ける事によって、使用後の濡れた雨傘を収納した時に本体ケース内部に溜まった雨水を容易に抜き出す事ができるという特徴を有する請求項１記載の携帯用脱着型傘収納ケース
【請求項３】
傘収納ケース本体上部の開口部分にスライド式ジッパーを装着する事により、開閉を容易にし、かつ簡易的な水漏れ防止機能を有する請求項１記載の携帯用脱着型傘収納ケース